(57)【要約】【課題】  取扱いがきわめて容易で、未だ完全に消火されていない固形燃料であっても、確実に消火させることができ、消火に使用した水も必要に応じて容易に排水させて軽量化して持ち運びできる火消し用バッグを提供する。【解決手段】  扁平な袋体によって容器主体２を構成し、前記容器主体２の内周部を断熱材３で形成するとともに、その開口部を密封するシート状のマグネット６，７からなる密封手段を備えるとともに、底部に固形燃料の消火に使用した水を排水できるパイプ部材８と水抜き栓９からなる排水部材を有する。【選択図】      図１
2016038172.tif 000002
【特許請求の範囲】
【請求項１】
扁平な袋体によって容器主体を構成し、
前記容器主体の内周部を断熱材で形成するとともに、その開口部を密封する密封手段を備えていること
を特徴とする火消しバッグ。
【請求項２】
前記容器主体は、
前記内周部と不燃性もしくは難燃性の素材からなる外被との間に、可撓性と断熱性を有するクッション材を介在させたこと
を特徴とする請求項１に記載の火消しバッグ。
【請求項３】
前記断熱材は、
アルミニウム圧延素材からなること
を特徴とする請求項１に記載の火消しバッグ。
【請求項４】
前記アルミニウム圧延素材は、
所要の厚みを有するアルミ箔であること
を特徴とする請求項３に記載の火消しバッグ。
【請求項５】
前記密封手段は、
前記容器主体の相対する開口部内面に設けられた、一対のシート状のマグネットからなること
を特徴とする請求項１に記載の火消しバッグ。
【請求項６】
前記容器主体は、
その底部に内部に溜まった水を、排水するための排水部材を有すること
を特徴とする請求項１〜５のいずれかに記載の火消しバッグ。
【請求項７】
前記容器主体は、
左右の両側部にマチが形成されていること
を特徴とする請求項１〜６のいずれかに記載の火消しバッグ。
【発明の詳細な説明】
【技術分野】
【０００１】
この発明は、固形燃料、特に未消の炭を確実に消火させるための火消しバッグに関するものである。
より具体的には、水が掛けられて一見消化状態にある炭、あるいは芯が着火状態にある炭であっても、水を掛けて安全に搬送することのできる火消しバッグである。
【背景技術】
【０００２】
炭を消すための火消し器具に関しては、特許文献１〜９が存在する。
例えば、実用新案登録第３１４４９７５号公報（特許文献１）は、薄金属板で形成して軽量化を図ると共に、屋外使用時に植物へのダメージを与えない蓋体の離脱防止機構を、簡単な構造で実現した火消し壺を提供することを目的としている。
【０００３】
具体的には、持ち手を付設した容器体、容器体に被冠装着される蓋体および脚体とで構成され、前記脚体が、前記容器体の載置面部と前記載置面部の外周に容器体の外周と対応する脚部とを備え、前記容器体に被冠装着した蓋体の上面から、脚体を被冠外装した際における脚部と対応する容器体の上部外周に、脚固定部を設けたもので、炭の消火時には脚体上に容器体を載置して使用し、消火後の運搬時には脚体を蓋体上方から被冠して脚部を容器体に固定するものである。
【０００４】
実用新案登録第３１８３２４８号公報（特許文献２）は、持ち運びの最中に灰が底部からこぼれない火起こし兼用火消し壺で、火起こし兼用火消し壺は、上端及び下端が開口している中空の本体と、前記本体の内部に配置された火格子と、前記本体の上端に着脱自在に取りつけられ、上端側の開口を開閉する上蓋と、前記本体の下端に着脱自在に取りつけられ、下端側の開口を開閉する下蓋とを備えたものである。
【０００５】
特開平１０−００９５７４号公報（特許文献３）は、燃焼物を容器内に入れフタをしっかり閉じ容器内の空気を断ち燃焼物を完全に消し、水分を含まず火付きの早い木炭と消し炭を得る、安全と取り扱いの便利機能を有する消しボックスで、不燃性物質を用い容器を作り、不燃性断熱材にて囲い熱伝導を押さえカバーにてボックスを構成し、同じ構成にてフタを作成し、ボックス内部の空気を断ち、燃焼物を消し水分を含まず火付きの早い木炭と消し炭を得る消しボックスである。
【０００６】
特開平１１−２９０２１７号公報（特許文献４）は、木炭を加熱源とする無煙ロースターにおいて、焼き肉料理が終わったときなお燃焼している炭壷内の木炭を酸欠状態にして火を消すことにより、その木炭の燃焼能を温存できる炭壷で、無煙ロースターに組み込まれる炭壷として、上端開口部に被係止部を有し、内部において下端開口部寄りに火格子を有する逆截頭円錐形の炭壷本体と、その上部開口部に被せられる蓋体とから構成されたものである。
【０００７】
特開２００１−１２４３３７号公報（特許文献５）は、持ち運びに便利な金属板から成る二重構造の消し炭壷であって、上部が開口した金属板からなる有底の筒型容器外筒と、外筒の内側に空間を介して内装され、底部に複数の孔をもつ金属板からなる筒型容器内筒の二重構造をした消し炭壷本体と、消し炭壷本体内部を密封するための金属板からなる蓋で構成されて、外筒に付属した止め金により蓋を消し炭壷本体から外れないように固定し、蓋には木製の取手を設け、前記内筒を外筒から取り外しできることを特徴とするものである。
【０００８】
特開２００６−２６６６５６号公報（特許文献６）は、使用時は、火鉢の落し部の内面に断熱材を張り、その上に銅板を張った容器内で木炭を燃焼させ、使用後は、火のついた木炭を消すために、内面が断熱材、外面が木部でできた蓋を、木炭燃焼容器の上に被せることにより空気を遮断し、木炭の火を消す消火装置付火鉢である。
【０００９】
特開２００７−１２０９３２号公報（特許文献７）は、コンロと敷板を３〜４ｍｍの十字孔又は角孔の丸、なべ頭のビスにて簡単に結合及びとり離しできるようにし、コンロの内部に緊急消火装置を設けたもので、固定板と移動板を傾斜状に形成し、固定板、移動板の接する面には、互いに凹凸を付け振動の無い時は滑ることなく、震度７以上で滑り、操作弁を動かす消火装置を構成している。
【００１０】
特開２０１１−５２９４６号公報（特許文献８）は、紛失するおそれのある脚体のごとき別部品を用いることなく、芝生面や地面に置いた状態で火のついた炭を入れても植物へのダメージを与えることがない火消し壷で、両端が開放された円筒状の本体部と、この本体部の一端を閉塞する土台部と、前記本体部の他端に着脱可能かつ閉塞可能に取り付けられる蓋とを有し、前記本体部は土台部により設置面から離れているものである。
【００１１】
特開２０１３−２４２０５２号公報（特許文献９）に記載の炭おこし器セットは、各々独立器具となっている火消壺と炭おこし器と一体的使用を可能とする器具であって、持ち手を付設した火消容器体と、火消容器体に被冠装着して火消容器体内における燃焼を阻止する火消蓋体と、前記火消容器体内に収納される大きさで、下方周面に通気孔を設けた筒状部、及び筒状部の下方内部に設けた目皿部、及び筒状部の引き上げを可能とする持ち手部を備えた炭おこし体とで構成されたものである
【先行技術文献】
【特許文献】
【００１２】
【特許文献１】実用新案登録第３１４４９７５号公報（実用新案登録請求の範囲，図３）
【特許文献２】実用新案登録第３１８３２４８号公報（実用新案登録請求の範囲，図１）
【特許文献３】特開平１０−００９５７４号公報（特許請求の範囲，図１）
【特許文献４】特開平１１−２９０２１７号公報（特許請求の範囲，図１）
【特許文献５】特開２００１−１２４３３７号公報（特許請求の範囲，図１）
【特許文献６】特開２００６−２６６６５６号公報（特許請求の範囲，図１）
【特許文献７】特開２００７−１２０９３２号公報（特許請求の範囲，図１）
【特許文献８】特開２０１１−５２９４６号公報（特許請求の範囲，図５）
【特許文献９】特開２０１３−２４２０５２号公報（特許請求の範囲，図１）
【発明の概要】
【発明が解決しようとする課題】
【００１３】
前記特許文献１〜９のいずれに記載の火消し壺も、消火後もしくは未だ消火されていない固形燃料を収容する容器は、円筒状ないし立方体の形状を有するものである。
したがって、搬送のための持ち運びに際しては、容器自体がある程度の重量を有しているため、持ち運びが容易ではなく、キャンプ場から車に搭載するに際しても、その形状から場所を占めるものである。
【００１４】
さらに、未だ消火されていない固形燃料の場合には、搬送中における何らかの事故によって蓋体が不用意に外れたりしないようにするための機構を組み込む必要があるので、製作が容易でなく、コストアップを招来するなど解決すべき多くの課題を有している。
【００１５】
この発明はかかる現状に鑑み、取り扱いがきわめて容易で、未だ完全に消火されていない固形燃料であっても、水を掛けることによって、および／または空気を遮断することによって確実に消火させることができ、消火に使用した水も必要に応じて容易に排水させ、軽量化して持ち運びのできる火消しバッグを提供することを目的とするものである。
【課題を解決するための手段】
【００１６】
前記目的を達成するため、この発明の請求項１に記載の発明は、
扁平な袋体によって容器主体を構成し、
前記容器主体の内周部を断熱材で形成するとともに、その開口部を密封する密封手段を備えていること
を特徴とする火消しバッグである。
【００１７】
この発明の請求項２に記載の発明は、
請求項１に記載の火消しバッグにおいて、
前記容器主体は、
前記内周部と不燃性もしくは難燃性の素材からなる外被との間に、可撓性と断熱性を有するクッション材を介在させたこと
を特徴とするものである。
【００１８】
この発明の請求項３に記載の発明は、
請求項１に記載の火消しバッグにおいて、
前記断熱材は、
アルミニウム圧延素材からなること
を特徴とするものである。
【００１９】
この発明の請求項４に記載の発明は、
請求項３に記載の火消しバッグにおいて、
前記アルミニウム圧延素材は、
所要の厚みを有するアルミ箔であること
を特徴とするものである。
【００２０】
この発明の請求項５に記載の発明は、
請求項１に記載の火消しバッグにおいて、
前記密封手段は、
前記容器主体の相対する開口部内面に設けられた、一対のシート状のマグネットからなること
を特徴とするものである。
【００２１】
この発明の請求項６に記載の発明は、
請求項１〜５のいずれかに記載の火消しバッグにおいて、
前記容器主体は、
その底部に内部に溜まった水を、排水するための排水部材を有すること
を特徴とするものである。
【００２２】
この発明の請求項７に記載の発明は、
請求項１〜６のいずれかに記載の火消しバッグにおいて、
前記容器主体は、
左右の両側部にマチが形成されていること
を特徴とするものである。
【発明の効果】
【００２３】
この発明にかかる火消しバッグは、消し炭などの固形燃料を収納する容器主体を扁平な袋体で構成しているので、不使用時には容器主体を二つ折りなど折り畳んで持ち運びすることができる。
その際、容器主体の内面を所要の厚みを有する断熱材で形成することによって、容器主体の折り畳みが容易に行うことができ、未消火の固形燃料であっても収納可能なものである。
【００２４】
前記容器主体に収納された未消化の固形燃料は、容器主体の開口部を密閉することによって、あるいは収納後に水を掛けることによって消火させることができる。
水掛によって消火した場合には、排水部材を使用することによって、容器主体内に溜まった水を適宜排水させることができるので、常に最少重量で持ち運びが可能であるとともに、固形燃料を収納した状態でも折り畳むことが可能であるので、車両などに収納するに際して場所を占めることがない。
【図面の簡単な説明】
【００２５】
【図１】この発明にかかる火消しバッグの一部を切欠いた斜視図である。
【発明を実施するための形態】
【００２６】
以下、この発明の火消しバッグの一例を添付の図面に基づいて具体的に説明する。
なお、この発明は実施例にのみ限定されるものではなく、発明の要旨を変更しない範囲内において種々改良を加えることができるものである。
【００２７】
この発明の火消しバッグ１は、容器主体２を扁平な袋体によって構成されている。
かかる扁平な容器主体２は、内周面がアルミニウム圧延材、特に所要の厚みを有するアルミ箔からなる断熱材３で、前記断熱材３と外被５との間に可撓性を有する難燃性のクッション材４を介在させたものである。
【００２８】
例えば、Ａ３程度の大きさを有する難燃アクリルなどの素材からなる外被５を構成し、この外被５の表面に難燃ウレタンなどからなるクッション材４を積層し、ついで当該クッション材４の表面に所要の厚みを有するアルミ箔からなる断熱材３を積層したのち、中央部において二つ折りし、底部と開口する側面部を縫着して扁平な容器主体２を構成する。
その際、底部開口部とこれに接する開口側面部には、排水部材を構成するパイプを装着するための開口部が残される。
【００２９】
なお、前記外被は不燃性もしくは難燃性の素材、例えば、難燃アクリル、ウールやナイロン、ポリエステル、ポリプロピレン、アクリルなどからなるものである。
【００３０】
しかるのち、前記容器主体２の上部開口部の相対する内面には、それぞれ開口幅いっぱいにシート状のマグネット６，７が接着剤などによって離脱不能に装着されて密封手段が構成されているので、前記相対するマグネット６，７を互いに吸着させることによって、上部開口部は完全に密封される。
【００３１】
さらに、前記容器主体２の底部の開口部には、一端が容器主体２内に、他端が容器主体２外に開口するよう短いパイプ部材８が取付けられ、前記他端側の開口部には水抜き栓９が着脱自在に装着されている。
【００３２】
したがって、前記容器主体２の開口部を開け、消火された炭などの固形燃料もしくは着火または消火中の固形燃料を容器主体２内に投入したのち、開口部内周面に配置された前記マグネット６，７を互いに吸着させれば、内部への空気の流入が遮断されるので、容器主体２内に収納された固形燃料をきわめて短い時間で確実に消火させることができる。
【００３３】
その際、着火中の固形燃料を容器主体２内に収納した場合には、開口部を密閉しても直ぐには消火されない場合もあるので、かかる場合には、容器主体２内に開口部から水を流し込んで消火させる。
【００３４】
前記容器主体２内への水の注入によって、内部の固形燃料を消火させた場合には、水抜き栓９をパイプ部材８から取り外し、外部に顕出する開口部を下方に向ければ、内部の水はパイプ８を通じて外部に排水し、排水が終了した時点で水抜き栓９を装着すれば、容器主体２を軽量化させることができるので、持ち運びが容易となるものである。
【００３５】
なお、この実施例においては、前記容器主体２は、扁平な袋体によって構成されているが、左右の側面にマチを形成しておくことによって、容器主体２内に収容する固形燃料の量を増やすことができるので好ましい。
【００３６】
さらに、この実施例においては、密封手段を一対のシート状のマグネット６，７で説明したが、難燃処理および／または防炎処理が施された雌雄一対の面ファスナーや、防炎性を有するファスナーを使用することもできる。
【００３７】
さらにまた、この発明の実施例においては、前記容器主体２内の排水はパイプ部材８を利用することで説明したが、容器主体２のサイド側の底部に防水機能を有するチャック部材を取り付け、当該チャック部材の開閉によって排水することもできる。
【００３８】
さらにまた、この発明にかかる火消しバッグは、あらかじめ容器主体内に使用前の固形燃料を収納して持ち運びすることもできるため、野外活動に携行する携帯品を減らすことができるものである。
【産業上の利用可能性】
【００３９】
この発明の火消しバッグは、扁平な袋状の容器主体の開口部を密閉可能とし、下部に排水のための機能を持たせているので、内部に収容した着火中の固形燃料であっても確実に消火させることができ、消火に使用した水は容器主体から適宜排出させることができるので、キャンプでのバーベキューなど固形燃料を使用する野外活動に最適なものである。
なお、この火消しバッグは、内周部が断熱材で形成され、かつ密封可能なものであるので、釣り上げた魚などを生きたまま、あるいは保冷剤を封入して腐らせることなく持ち運びする用途にも使用することができるなど、広い用途に利用できる可能性を有するものである。
【符号の説明】
【００４０】
１      火消しバッグ
２      容器主体
３      断熱材
４      クッション材
５      外被
６，７  シート状のマグネット
８      パイプ部材
９      水抜き栓
１０    把手
【図１】
2016038172.tif 000003